【手続補正書】
【提出日】平成20年7月10日(2008.7.10)
【手続補正１】
【補正対象書類名】明細書
【補正対象項目名】特許請求の範囲
【補正方法】変更
【補正の内容】
【特許請求の範囲】
【請求項１】
商用電源の電圧からゼロクロス信号を検知するゼロクロス検知回路と、
前記ゼロクロス信号に同期して定着ヒーターへの通電を制御する制御回路と、
前記商用電源から給電を受けて商用電源の電圧よりも低い電圧を出力する電源ユニットと、
前記商用電源から前記ゼロクロス検知回路、前記制御回路および前記電源ユニットに通電するための電源スイッチと、
前記商用電源からの通電が切断された後も情報を記憶する記憶媒体と、
前記ゼロクロス信号の状態により前記電源スイッチが切断されたか否かを判断する判断手段と、
前記判断手段により前記スイッチが切断されたことを判断したときに前記記憶媒体に情報を書きこむ書き込み手段と、
を有することを特徴とする画像形成装置。
【請求項２】
前記ゼロクロス検知回路は、前記商用電源の電圧におけるゼロクロス電圧付近でパルス信号を発生することによって前記ゼロクロス信号を得ることを特徴とする請求項１に記載の画像形成装置。
【請求項３】
前記ゼロクロス検知回路は、前記商用電源から出力されるサイン波の電圧の半波に同期してパルス信号を発生することによって前記ゼロクロス信号を得ることを特徴とする請求項１に記載の画像形成装置。
【請求項４】
前記電源ユニットは、コンデンサの充電電荷を前記記憶媒体に対する情報書き込みのための電源とすることを特徴とする請求項１乃至３のいずれかの項に記載の画像形成装置。
【手続補正２】
【補正対象書類名】明細書
【補正対象項目名】０００２
【補正方法】変更
【補正の内容】
【０００２】
【従来の技術】
図９は、この種の画像形成装置の一例を示す構成模式図であり、例えばレーザビームプリンタの場合を示す。図において、１００はコントローラ部で、図示しないホストコンピュータにインターフェース１０１を介して接続されたビデオコントローラ１０３と、操作パネル１０４を有する。
【手続補正３】
【補正対象書類名】明細書
【補正対象項目名】０００６
【補正方法】変更
【補正の内容】
【０００６】
エンジンコントローラ１０５はＣＰＵ１０５ａ、ＲＡＭ１０５ｂ、ＲＯＭ１０５ｃ、不揮発性記憶媒体１０５ｄ（ＥＥＰＲＯＭ）を有し、電源スイッチ（ＳＷ）１，ノイズフイルタ２を介して商用電源に接続されたフューザー制御回路３および低電圧電源ユニット４、温度センサ５、ファン６を駆動するファンモータドライバ７、受光素子８を制御するビデオ（ＢＤ）回路９、高圧電源１０、ヒータアップソレノイド２２、レーザダイオード１０７を駆動するレーザドライバ１０６、スキャナモータ１１を駆動するスキャナモータドライバ１２，メインモータ１３を駆動するメインモータドライバ１４、ゼロクロス検知回路２３等が接続されている他、紙サイズセンサ１５、紙有無センサ１６、ドアセンサ１７、給紙センサ１８、排紙センサ１９、カートリッジセンサ２０等の各種センサが接続されている。また、上記低電圧電源ユニット４はビデオコントローラ１０３にも接続されている。
【手続補正４】
【補正対象書類名】明細書
【補正対象項目名】００１３
【補正方法】変更
【補正の内容】
【００１３】
図１１は、定着器１１６の制御部の回路図である。図１２は、図１１に示すフューザー制御部（フューザー制御回路）３によりヒーター１１９に通電する電流を制御したときの商用電源の電圧とゼロクロス信号とヒーター１１９の通電電流との関係を示すためのタイミング図である。
【手続補正５】
【補正対象書類名】明細書
【補正対象項目名】００１４
【補正方法】変更
【補正の内容】
【００１４】
ヒーター１１９の温度を所望の定着温度に制御するために、温度センサ５により定着ヒーター１１９の温度を検出し、ＣＰＵ１０５ａに入力する。ＣＰＵ１０５ａは入力された温度検出信号と内蔵されている温度制御プログラムに基づいてフューザー制御信号を発生し、ヒーター１１９に流れる電流を制御する。ヒーター１１９に通電する電流は商用電源から供給され、フューザー制御回路（制御回路）３のトライアックＴにより通電と非通電、つまりＯＮ／ＯＦＦを制御する。
【手続補正６】
【補正対象書類名】明細書
【補正対象項目名】００１５
【補正方法】変更
【補正の内容】
【００１５】
ゼロクロス検知回路２３は、商用電源Ｐのゼロクロス検知範囲の電圧(商用電源Ｐの電圧におけるゼロクロス電圧付近の電圧）でゼロクロス信号(パルス信号）がＬｏｗレベルになるようにゼロクロス信号を発生し、このゼロクロス信号をＣＰＵ１０５ａに入力する。ＣＰＵ１０５ａのプログラムは、ゼロクロス信号がＬｏｗレベルに変化してからヒーター制御信号をＨｉｇｈレベルにするまでの時間ｔの経過を制御する。ヒーターに通電する電流を増やす場合は、ゼロクロス信号がＬｏｗレベルに変化してからヒーター制御信号をＨｉｇｈにするまでの時間ｔを短くし、ヒーターに通電する電流を少なくする場合には、ゼロクロス信号がＬｏｗレベルに変化してからヒーター制御信号をＨｉｇｈにするまでの時間ｔを長くし、次のゼロクロス信号の直前にヒーター制御信号をＨｉｇｈレベルにする。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】変更
【補正の内容】
【００２１】
上記目的を達成するための構成は、
商用電源の電圧からゼロクロス信号を検知するゼロクロス検知回路と、
前記ゼロクロス信号に同期して定着ヒーターへの通電を制御する制御回路と、
前記商用電源から給電を受けて商用電源の電圧よりも低い電圧を出力する電源ユニットと、
前記商用電源から前記ゼロクロス検知回路、前記制御回路および前記電源ユニットに通電するための電源スイッチと、
前記商用電源からの通電が切断された後も情報を記憶する記憶媒体と、
前記ゼロクロス信号の状態により前記電源スイッチが切断されたか否かを判断する判断手段と、
前記判断手段により前記スイッチが切断されたことを判断したときに前記記憶媒体に情報を書きこむ書き込み手段と、
を有することを特徴とする。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】変更
【補正の内容】
【００２５】
【発明の実施の形態】
［実施例１］
図１は、第一の実施例の画像形成装置の商用電源Ｐの電圧波形５１、ゼロクロス信号５２、ヒーター制御信号５３、ヒーターの電流波形５４、ＤＣ電源電圧波形５５の関係を表わす図である。
【手続補正１３】
【補正対象書類名】明細書
【補正対象項目名】００２６
【補正方法】変更
【補正の内容】
【００２６】
図２は、商用電源Ｐ、電源スイッチ１、ノイズフィルタ２、低電圧電源ユニット４、フューザ制御回路３、ヒーター１１９、ゼロクロス検知回路２３、ＣＰＵ１０５ａ、不揮発記憶媒体１０５ｄの接続関係を示した回路図である。図２に示すように、低電圧電源ユニット（電源ユニット）４は全波整流器４ａ、第１の平滑コンデンサ４ｂ、メイン・スイッチング制御回路４ｃ、トランス４ｄ、第２の平滑コンデンサ４ｅを有する。ＣＰＵ１０５ａはゼロクロス信号(パルス信号）５２の状態により電源スイッチ１が切断されたか否かを判断する判断手段、および不揮発性記憶媒体（記憶媒体（ＥＥＰＲＯＭ））に情報を書き込む書き込み手段としても機能する。
【手続補正１４】
【補正対象書類名】明細書
【補正対象項目名】００３０
【補正方法】変更
【補正の内容】
【００３０】
ステップＳＴ６において、タイマーの値がゼロクロス信号５２のＨｉｇｈ時間以下の場合には、ステップＳＴ５に戻ってゼロクロス信号５２の状態がＨｉｇｈレベルで有るかを検知し、タイマーの値がゼロクロス信号５２のＨｉｇｈ時間よりも大きくなった場合には、ゼロクロス信号５２のＬｏｗ時間を読み出してタイマーをリセットし再スタートする（ステップＳＴ９）。ゼロクロス信号５２は、商用電源電圧が０ＶになるためＬｏｗレベルになる。
【手続補正１５】
【補正対象書類名】明細書
【補正対象項目名】００３１
【補正方法】変更
【補正の内容】
【００３１】
タイマーの値とゼロクロス信号５２のＬｏｗ時間を比較し（ステップＳＴ１０）、タイマーの値がゼロクロスＬｏｗ時間を越えたら、ゼロクロス信号５２の状態がＬｏｗレベルかＨｉｇｈレベルかを判断する（ステップＳＴ１１）。電源スイッチ１が切断されておらず、商用電源Ｐが通電されていれば、商用電源Ｐの電圧レベルが上昇するに従ってゼロクロス検知電圧を越えているので、ゼロクロス信号５２は再びＨｉｇｈレベルになっている。
【手続補正１６】
【補正対象書類名】明細書
【補正対象項目名】００３３
【補正方法】変更
【補正の内容】
【００３３】
上記ステップＳＴ１１の検知結果がＬｏｗレベルで有れば、電源スイッチ１が切断され、ゼロクロス信号５２がＬｏｗレベルになっていると判断してパワーオフ処理を行い（ステップＳＴ７）、ＥＥＰＲＯＭ１０５ｄにエンジン情報を書き込む（ステップＳＴ８）。電源スイッチ１が切断されたときのゼロクロス信号５２のＬｏｗレベルのタイミングは図４に示される状態になる。
【手続補正１７】
【補正対象書類名】明細書
【補正対象項目名】００３４
【補正方法】変更
【補正の内容】
【００３４】
低電圧電源ユニット４は、商用電源Ｐから給電を受けて商用電源Ｐよりも電圧の低いＤＣ電源電圧５５（図１）を出力する。商用電源Ｐが切断されてからは、低電圧電源ユニット４に内蔵されている第１の平滑コンデンサ４ｂ及び第２の平滑コンデンサ４ｅに蓄えられた電荷によりＣＰＵ１０５ａ及び、ＥＥＰＲＯＭ１０５ｄに供給するＤＣ電源電圧が保持される。つまり、低電圧電源ユニット４は、第１の平滑コンデンサ４ｂと第２の平滑コンデンサ４ｅの充電電荷（コンデンサの充電電荷）をＥＥＰＲＯＭ１０５ｄに対する情報書き込みのための電源としている。この第１の平滑コンデンサ４ｂ及び第２の平滑コンデンサ４ｅの電荷が無くなると、ＤＣ電源電圧５５は下降して０Ｖレベルになる。
【手続補正１８】
【補正対象書類名】明細書
【補正対象項目名】００３６
【補正方法】変更
【補正の内容】
【００３６】
［実施例２］
図５は、第二の実施例の画像形成装置の商用電源Ｐの電圧波形５１、ゼロクロス信号５２、ヒーター制御信号５３、ヒーターの電流波形５４の関係を表わす図である。図５において、ゼロクロス信号５２は、商用電源Ｐの上側半波のゼロクロス検知電圧より大きくなったときにＨｉｇｈのレベルになり、商用電源Ｐの電圧がそのゼロクロス検知電圧以外の電圧レベルではＬｏｗレベルになるようにゼロクロス検知回路２３から出力され、ＣＰＵ１０５ａに入力する。つまり、ゼロクロス検知回路２３は、商用電源Ｐから出力されるサイン波の電圧の半波に同期してゼロクロス信号（パルス信号）を発生し、そのゼロクロス信号をＣＰＵ１０５ａに入力する。
【手続補正１９】
【補正対象書類名】明細書
【補正対象項目名】００４４
【補正方法】変更
【補正の内容】
【００４４】
タイマー値とゼロクロス信号５２のＬｏｗ時間を比較し（ステップＳＴ３１）、タイマー値がゼロクロス信号５２のＬｏｗ時間を越えたら、ゼロクロス信号５２の状態がＬｏｗレベルかを判断し（ステップＳＴ３１）、Ｌｏｗレベルであれば電源スイッチ１が切断したと判断し、パワーオフ処理を行い（ステップＳＴ２７）、ＥＥＰＲＯＭ１０５ｄにエンジン情報を書き込む（ステップＳＴ２８）。電源スイッチ１が切断したときのゼロクロス信号５２のパワーオフのタイミングは図８の状態になる。
【手続補正２０】
【補正対象書類名】明細書
【補正対象項目名】００４６
【補正方法】変更
【補正の内容】
【００４６】
【発明の効果】
以上説明したように、本発明によれば、ヒーターの通電制御の基準となるゼロクロス信号の状態を判断して、電源スイッチが切断されたことを検知することができるため、電源スイッチに連動した検知機構（リレー回路）を設けることなく、簡単な回路構成により、電源スイッチの切断時における装置の状態格納が確実にでき、再起動後に保存状態を読み出して画像形成に最適な処理を施すことを精度よく行うことができる。
【手続補正２１】
【補正対象書類名】明細書
【補正対象項目名】００４７
【補正方法】削除
【補正の内容】
【手続補正２２】
【補正対象書類名】明細書
【補正対象項目名】００４８
【補正方法】変更
【補正の内容】
【００４８】
また本発明によれば、ゼロクロス検知回路は商用電源の電圧におけるゼロクロス電圧付近でパルス信号を発生することによってゼロクロス信号を得るので、電源スイッチを切断するとすぐに変化するゼロクロス信号を精度良く得ることができる。
【手続補正２３】
【補正対象書類名】明細書
【補正対象項目名】００４９
【補正方法】変更
【補正の内容】
【００４９】
また本発明によれば、ゼロクロス検知回路は商用電源から出力されるサイン波の電圧の半波に同期してパルス信号を発生することによってゼロクロス信号を得るので、電源スイッチを切断するとすぐに変化するゼロクロス信号を精度良く得ることができる。
【手続補正２４】
【補正対象書類名】明細書
【補正対象項目名】００５０
【補正方法】変更
【補正の内容】
【００５０】
また本発明によれば、電源ユニットはコンデンサの充電電荷を記憶媒体に対する情報書き込みのための電源とするため、電源スイッチが切断してからすぐにゼロクロス信号がＬｏｗレベルになっても電源スイッチの出力が０Ｖになるまでに記憶媒体の書き込みに十分な時間が得られ、装置の状態格納を確実に行うことができる。
【手続補正２５】
【補正対象書類名】明細書
【補正対象項目名】図面の簡単な説明
【補正方法】変更
【補正の内容】
【図面の簡単な説明】
【図１】第一の実施例の画像形成装置の商用電源の電圧波形、ゼロクロス信号、ヒーター制御信号、ヒーターの電流波形、ＤＣ電源電圧波形の関係を表わす図である。
【図２】第一の実施例の画像形成装置の商用電源、電源スイッチ、ノイズフィルタ、低電圧電源ユニット、フューザ制御回路、ヒーター、ゼロクロス検知回路、ＣＰＵ、不揮発記憶媒体の接続関係を示した回路図である。
【図３】第一の実施例の画像形成装置の電源ＯＦＦシーケンスを示す流れ図である。
【図４】第一の実施例の画像形成装置の電源スイッチ切断時のゼロクス信号を示すタイミング図である。
【図５】第二の実施例の画像形成装置の商用電源の電圧波形、ゼロクロス信号、ヒーター制御信号、ヒーターの電流波形の関係を表わす図である。
【図６】第二の実施例の画像形成装置の商用電源の電圧波形、ゼロクロス信号、ヒーター制御信号、ヒーターの電流波形、ＤＣ電源電圧のタイミングを示す図である。
【図７】第二の実施例の画像形成装置の電源ＯＦＦシーケンスを示す流れ図である。
【図８】第二の実施例の画像形成装置の電源スイッチ切断時のゼロクス信号を示すタイミング図である。
【図９】  従来の画像形成装置の構成模式図である。
【図１０】  従来の画像形成装置の電気回路のブロック図である。
【図１１】  従来の画像形成装置の定着器の制御部の回路図である。
【図１２】  従来の画像形成装置の商用電源の電圧波形、ゼロクロス信号、ヒーター制御信号、ヒーターの電流波形の関係を表わす図である。
【符号の説明】
１  電源スイッチ（ＳＷ）
３  フューザー制御回路
４  低電圧電源ユニット
２３  ゼロクロス検知回路
１０３ｆ  不揮発性記憶媒体（ＥＥＰＲＯＭ）
１０５ａ  ＣＰＵ（判断手段および書き込み手段）